(57)【要約】【課題】第１感光ドラムおよび第２感光ドラムのがたつきを抑制できる画像形成装置を提供すること。【解決手段】  イエロー、マゼンタ、シアンおよびブラックの各色に対応する複数の感光ドラム１１を備えるダイレクトタンデム型のカラープリンタ１において、複数の感光ドラム１１を軸受する軸受３０に、対応する感光ドラム１１を径方向に押圧する弾性部５３、６３を設け、用紙Ｐの搬送方向における最上流に配置されるイエローの感光ドラム１１Ｙを軸受する軸受３０の弾性部５３、６３の弾性力を、イエローの感光ドラム１１Ｙよりも下流のマゼンタの感光ドラム１１Ｍ、シアンの感光ドラム１１Ｃおよびブラックの感光ドラム１１Ｋを軸受する軸受３０の弾性部５３、６３の弾性力よりも大きく設定する。【選択図】図９
2015060102.tif 000002
【特許請求の範囲】
【請求項１】
記録媒体を搬送するように構成される搬送ベルトと、
前記搬送ベルトによる記録媒体の搬送方向において、最上流側に位置する第１感光ドラムと、
前記第１感光ドラムと平行に配置され、前記第１感光ドラムに対して前記搬送方向の下流側に位置する第２感光ドラムと、
第１感光ドラムおよび第２感光ドラムを支持する側板であって、前記第１感光ドラムを前記側板に対して位置決めする第１位置決め部と、前記第２感光ドラムを前記側板に対して位置決めする第２位置決め部と、を備える側板と、
前記第１感光ドラムを前記第１位置決め部へ向かって付勢するように構成される第１付勢部材と、
前記第２感光ドラムを前記第２位置決め部へ向かって付勢するように構成される第２付勢部材と
を備え、
前記第１付勢部材の付勢力は、前記第２付勢部材の付勢力よりも大きい
ことを特徴とする、画像形成装置。
【請求項２】
前記第１感光ドラムの端部を前記側板に対して回転可能に支持する第１軸受部材であって、前記側板に取り付けられる第１取付部と、前記第１取付部から前記第１感光ドラムの外周面に沿って延び、弾性を有する第１弾性部と、前記第１弾性部の先端から前記第１感光ドラムの外周面に向かって突出し、前記第１感光ドラムに接触する第１接触部と、を備える第１軸受部材と、
前記第２感光ドラムの端部を前記側板に対して回転可能に支持する第２軸受部材であって、前記側板に取り付けられる第２取付部と、前記第２取付部から前記第２感光ドラムの外周面に沿って延び、弾性を有する第２弾性部と、前記第２弾性部の先端から前記第２感光ドラムの外周面に向かって突出し、前記第２感光ドラムに接触する第２接触部と、を備える第２軸受部材と、
をさらに備え、
前記第１付勢部材は、前記第１弾性部および前記第１接触部から構成され、
前記第２付勢部材は、前記第２弾性部および前記第２接触部から構成され、
前記第１接触部の前記第１感光ドラムに向かう第１突出量は、前記第２接触部の前記第２感光ドラムに向かう第２突出量よりも長い
ことを特徴とする、請求項１に記載の画像形成装置。
【請求項３】
前記側板は、前記第１軸受部材を介して前記第１感光ドラムの端部を支持する第１支持穴と、前記第２軸受部材を介して前記第２感光ドラムの端部を支持する第２支持穴とを有し、
前記第１支持穴および前記第２支持穴のそれぞれは、互いに異なる方向に延びる第１位置決め面および第２位置決め面を有し、
前記第１位置決め部は、前記第１支持穴の前記第１位置決め面および前記第２位置決め面から構成され、
前記第２位置決め部は、前記第２支持穴の前記第１位置決め面および前記第２位置決め面から構成され、
前記第１接触部は、前記第１支持穴の前記第１位置決め面と前記第２位置決め面との間に向かう方向に突出し、
前記第２接触部は、前記第２支持穴の前記第１位置決め面と前記第２位置決め面との間に向かう方向に突出する
ことを特徴とする、請求項１または２に記載の画像形成装置。
【請求項４】
前記第１接触部および前記第２接触部の突出方向は、前記搬送方向の下流に向かうにつれて前記搬送ベルトに近接する方向である
ことを特徴とする、請求項１ないし３のいずれか一項に記載の画像形成装置。
【請求項５】
前記第１感光ドラムおよび前記第２感光ドラムを支持する支持部材をさらに備える
ことを特徴とする、請求項１ないし４のいずれか一項に記載の画像形成装置。
【請求項６】
装置本体と、
前記装置本体内において、記録媒体を搬送するように構成される搬送ベルトと、
前記搬送ベルトによる記録媒体の搬送方向において最上流側に位置し、第１感光ドラムを備える第１プロセスカートリッジと、
前記第１感光ドラムと平行に配置される第２感光ドラムを備え、前記第１プロセスカートリッジに対して前記搬送方向の下流側に位置する第２プロセスカートリッジと、
前記第１プロセスカートリッジを前記装置本体に対して位置決めする第１位置決め部と、
前記第２プロセスカートリッジを前記装置本体に対して位置決めする第２位置決め部と、
前記第１プロセスカートリッジを前記第１位置決め部へ向かって付勢するように構成される第１付勢部材と、
前記第２プロセスカートリッジを前記第２位置決め部へ向かって付勢するように構成される第２付勢部材と、を備え、
前記第１付勢部材の付勢力は前記第２付勢部材の付勢力よりも大きい
ことを特徴とする画像形成装置。
【発明の詳細な説明】
【技術分野】
【０００１】
本発明は、電子写真方式が採用される画像形成装置に関する。
【背景技術】
【０００２】
電子写真方式の画像形成装置として、イエロー、マゼンタ、シアンおよびブラックの各色に対応する複数の像担持体を備える、いわゆるタンデム型のカラープリンタが知られている。
【０００３】
このようなタンデム型のカラープリンタとして、各色に対応する４つの感光ドラムを回転可能に支持し、本体ケーシングに対してスライド自在に着脱されるドラムユニットと、各感光ドラムに接触するように用紙を搬送する搬送ベルトとを備えるプリンタが提案されている（例えば、下記特許文献１参照）。
【０００４】
このプリンタでは、ドラムユニットは、感光ドラムを軸受する軸受部材を備えている。軸受部材は、円筒状の筒状部と、筒状部に設けられる押圧部材とを一体的に有している。感光ドラムは、筒状部内に挿入されるとともに、押圧部材によって筒状部の後下側の内周面に対して押し付けられている。これにより、感光ドラムは、その径方向におけるがたつきを抑制された状態で、搬送ベルトに接触している。
【先行技術文献】
【特許文献】
【０００５】
【特許文献１】特開２０１１−６４８８４号公報
【発明の概要】
【発明が解決しようとする課題】
【０００６】
しかるに、上記した特許文献１に記載のプリンタでは、感光ドラムと搬送ベルトとの間に用紙が導入されるときに、用紙との接触により、感光ドラムが押圧部材の押圧力に抗してがたつく場合がある。特に、最初に用紙に接触する最前方の感光ドラムが、がたつきやすい傾向にある。
【０００７】
そこで、本発明の目的は、第１感光ドラムおよび第２感光ドラムのがたつきを抑制できる画像形成装置を提供することにある。
【課題を解決するための手段】
【０００８】
（１）上記した目的を達成するため、本発明の画像形成装置は、搬送ベルトと、第１感光ドラムと、第２感光ドラムと、側板と、第１付勢部材と、第２付勢部材とを備える。搬送ベルトは、記録媒体を搬送するように構成される。第１感光ドラムは、搬送ベルトによる記録媒体の搬送方向において、最上流側に位置する。第２感光ドラムは、第１感光ドラムと平行に配置され、第１感光ドラムに対して搬送方向の下流側に位置する。側板は、第１感光ドラムおよび第２感光ドラムを支持する側板であって、第１感光ドラムを側板に対して位置決めする第１位置決め部と、第２感光ドラムを側板に対して位置決めする第２位置決め部とを備える。第１付勢部材は、第１感光ドラムを第１位置決め部へ向かって付勢するように構成される。第２付勢部材は、第２感光ドラムを第２位置決め部へ向かって付勢するように構成される。
【０００９】
第１付勢部材の付勢力は、第２付勢部材の付勢力よりも大きい。
【００１０】
このような構成によれば、記録媒体の搬送方向における最上流に配置される第１感光ドラムを、それよりも下流に配置される第２感光ドラムよりも大きな付勢力で、側板に対して位置決めすることができる。
【００１１】
これにより、搬送方向最上流に配置される第１感光ドラムのがたつきを抑制できる。
【００１２】
また、搬送方向最上流に配置される第１感光ドラムのがたつきを抑制することにより、第１感光ドラムそれよりも下流に配置される第２感光ドラムに対して円滑に記録媒体を搬送できるので、第２感光ドラムのがたつきも抑制できる。
【００１３】
その結果、第１感光ドラムおよび第２感光ドラムのがたつきを抑制できる。
（２）本発明の画像形成装置は、第１軸受部材と、第２軸受部材とをさらに備えてもよい。第１軸受部材は、第１感光ドラムの端部を側板に対して回転可能に支持する第１軸受部材であって、側板に取り付けられる第１取付部と、第１取付部から第１感光ドラムの外周面に沿って延び、弾性を有する第１弾性部と、第１弾性部の先端から第１感光ドラムの外周面に向かって突出し、第１感光ドラムに接触する第１接触部と、を備える。第２軸受部材は、第２感光ドラムの端部を側板に対して回転可能に支持する第２軸受部材であって、側板に取り付けられる第２取付部と、第２取付部から第２感光ドラムの外周面に沿って延び、弾性を有する第２弾性部と、第２弾性部の先端から第２感光ドラムの外周面に向かって突出し、第２感光ドラムに接触する第２接触部とを備える。この場合、第１付勢部材は、第１弾性部および第１接触部から構成され、第２付勢部材は、第２弾性部および第２接触部から構成されてもよい。また、第１接触部の第１感光ドラムに向かう第１突出量は、第２接触部の第２感光ドラムに向かう第２突出量よりも長くてもよい。
【００１４】
このような構成によれば、搬送方向最上流に配置される第１感光ドラムを支持する第１軸受部材の第１接触部は、それよりも下流に配置される第２感光ドラムを支持する第２軸受部材の第２接触部よりも長い。
【００１５】
そのため、第１軸受部材の第１弾性部を、第２軸受部材の第２弾性部よりも大きく撓ませることができる。
【００１６】
その結果、第１感光ドラムを、第２感光ドラムよりも確実に大きな付勢力で、位置決めすることができる。
（３）側板は、第１軸受部材を介して第１感光ドラムの端部を支持する第１支持穴と、第２軸受部材を介して前記第２感光ドラムの端部を支持する第２支持穴とを有してもよい。第１支持穴および第２支持穴のそれぞれは、互いに異なる方向に延びる第１位置決め面および第２位置決め面を有してもよい。この場合、第１位置決め部は、第１支持穴の前１位置決め面および第２位置決め面から構成され、第２位置決め部は、第２支持穴の第１位置決め面および第２位置決め面から構成されてもよい。第１接触部は、第１支持穴の第１位置決め面と第２位置決め面との間に向かう方向に突出し、第２接触部は、第２支持穴の第１位置決め面と第２位置決め面との間に向かう方向に突出してもよい。
【００１７】
このような構成によれば、第１軸受部材の第１接触部により、第１感光ドラムの端部を第１支持穴の第１位置決め面および第２位置決め面に対して押圧できるとともに、第２軸受部材の第２接触部により、第２感光ドラムの端部を第２支持穴の第１位置決め面および第２位置決め面に対して押圧できる。
【００１８】
これにより、第１感光ドラムおよび第２感光ドラムのそれぞれの端部を、第１位置決め面と第２位置決め面とによって、互いに異なる２つの方向において位置決めすることができる。
【００１９】
その結果、第１感光ドラムおよび第２感光ドラムを、側板に対して精度よく位置決めすることができる。
（４）第１接触部および第２接触部の突出方向は、搬送方向の下流に向かうにつれて搬送ベルトに近接する方向であってもよい。
【００２０】
このような構成によれば、第１感光ドラムおよび第２感光ドラムと搬送ベルトとの間を通過する記録媒体を、円滑に搬送ベルトに対して押しつけることができる。
（５）本発明の画像形成装置は、第１感光ドラムおよび第２感光ドラムを支持する支持部材をさらに備えてもよい。
【００２１】
このような構成によれば、支持部材により、第１感光ドラムおよび第２感光ドラムを一体的に操作することができる。
（６）本発明の画像形成装置は、装置本体と、搬送ベルトと、第１プロセスカートリッジと、第２プロセスカートリッジと、第１位置決め部と、第２位置決め部と、第１付勢部材と、第２付勢部材とを備える。搬送ベルトは、装置本体内において、記録媒体を搬送するように構成される。第１プロセスカートリッジは、搬送ベルトによる記録媒体の搬送方向において最上流側に位置し、第１感光ドラムを備える。第２プロセスカートリッジは、第１感光ドラムと平行に配置される第２感光ドラムを備え、第１プロセスカートリッジに対して搬送方向の下流側に位置する。第１位置決め部は、第１プロセスカートリッジを装置本体に対して位置決めする。第２位置決め部は、第２プロセスカートリッジを装置本体に対して位置決めする。第１付勢部材は、第１プロセスカートリッジを第１位置決め部へ向かって付勢するように構成される。第２付勢部材は、第２プロセスカートリッジを第２位置決め部へ向かって付勢するように構成される。
【００２２】
第１付勢部材の付勢力は第２付勢部材の付勢力よりも大きい。
【００２３】
このような構成によれば、記録媒体の搬送方向における最上流に配置される第１プロセスカートリッジを、それよりも下流に配置される第２プロセスカートリッジよりも大きな付勢力で、装置本体に対して位置決めすることができる。
【００２４】
これにより、搬送方向最上流に配置される第１感光ドラムのがたつきを抑制できる。
【００２５】
また、搬送方向最上流に配置される第１感光ドラムのがたつきを抑制することにより、第１感光ドラムそれよりも下流に配置される第２感光ドラムに対して円滑に記録媒体を搬送できるので、第２感光ドラムのがたつきも抑制できる。
【００２６】
その結果、第１感光ドラムおよび第２感光ドラムのがたつきを抑制できる。
【発明の効果】
【００２７】
本発明の画像形成装置によれば、第１感光ドラムおよび第２感光ドラムのがたつきを抑制できる。
【図面の簡単な説明】
【００２８】
【図１】図１は、本発明の画像形成装置の第１実施形態を示すプリンタの中央断面図である。
【図２】図２は、図１に示すドラムユニットの右上方から見た斜視図である。
【図３】図３は、図２に示す内側板に対する感光ドラムの支持を説明する説明図である。
【図４】図４Ａは、図３に示す左軸受の右前方から見た斜視図である。図４Ｂは、図３に示す左軸受の左後方から見た斜視図である。
【図５】図５Ａは、図３に示す右軸受の左後方から見た斜視図である。図５Ｂは、図３に示す右軸受の右前方から見た斜視図である。
【図６】図６Ａは、イエローの感光ドラムに対応する左軸受の左側面図である。図６Ｂは、マゼンタ、シアン、ブラックの感光ドラムに対応する左軸受の左側面図である。
【図７】図７は、図４Ａに示す左軸受に感光ドラムの左方のフランジ部材が挿入された状態を示す右側面図である。
【図８】図８Ａは、図７のＡ−Ａ断面図であり、イエローの感光ドラムに対応する。図８Ｂは、図８Ａの要部拡大図である。
【図９】図９Ａは、図７のＡ−Ａ断面図であり、マゼンタ、シアン、ブラックの感光ドラムに対応する。図９Ｂは、図９Ａの要部拡大図である。
【図１０】図１０は、プリンタの変形例を説明する説明図である。
【発明を実施するための形態】
【００２９】
１．プリンタの全体構成
図１に示すように、画像形成装置の一例としてのプリンタ１は、横置きタイプのダイレクトタンデム型カラーレーザプリンタである。
【００３０】
なお、以下の説明において、方向について言及する場合には、プリンタ１を水平に載置した状態を上下の基準とする。すなわち、図１の紙面上方が上方であり、図１の紙面下方が下方である。また、図１の紙面左方が前方であり、図１の紙面右方が後方である。また、プリンタ１を前方から見たときを左右の基準とする。すなわち、図１の紙面手前が右方であり、紙面奥が左方である。前後方向は、搬送方向の一例である。
【００３１】
プリンタ１は、装置本体の一例としての本体ケーシング２と、プロセスユニット３と、スキャナユニット４と、転写ユニット５と、定着ユニット６とを備えている。
【００３２】
本体ケーシング２は、略ボックス形状に形成されている。本体ケーシング２は、給紙トレイ７と、排紙トレイ８とを有している。
【００３３】
給紙トレイ７は、本体ケーシング２の底部に配置されている。給紙トレイ７は、記録媒体の一例としての用紙Ｐを収容するように構成されている。
【００３４】
排紙トレイ８は、本体ケーシング２の上壁の前側半分に配置されている。排紙トレイ８は、用紙Ｐが載置されるように、本体ケーシング２の上面から下方へ凹んでいる。
【００３５】
プロセスユニット３は、本体ケーシング２の中央に配置されている。プロセスユニット３は、支持部材の一例としてのドラムユニット９と、複数の現像カートリッジ１０とを備えている。
【００３６】
ドラムユニット９は、複数の感光ドラム１１と、複数のスコロトロン型帯電器１２とを備えている。
【００３７】
複数の感光ドラム１１のそれぞれは、プロセスユニット３の下端部に回転可能に支持されている。複数の感光ドラム１１のそれぞれは、イエロー、マゼンタ、シアン、ブラックのそれぞれに対応している。複数の感光ドラム１１のそれぞれは、前方から後方に向かって、イエロー、マゼンタ、シアン、ブラックの順に互いに間隔を隔てて並列配置されている。イエローの感光ドラム１１Ｙは、複数の感光ドラム１１のそれぞれのうちの最前方に配置されており、第１感光ドラムの一例である。マゼンタの感光ドラム１１Ｍ、シアンの感光ドラム１１Ｃ、および、ブラックの感光ドラム１１Ｋは、イエローの感光ドラム１１Ｙよりも後方に配置されており、第２感光ドラムの一例である。複数の感光ドラム１１のそれぞれは、左右方向に延びる略円筒形状を有している。
【００３８】
複数のスコロトロン型帯電器１２のそれぞれは、複数の感光ドラム１１のそれぞれに対応し、対応する感光ドラム１１の後上方に間隔を隔てて配置されている。
【００３９】
複数の現像カートリッジ１０のそれぞれは、複数の感光ドラム１１のそれぞれに対応し、対応する感光ドラム１１の上方に配置されている。複数の現像カートリッジ１０のそれぞれは、現像ローラ１３と、供給ローラ１４とを備えている。また、現像カートリッジ１０は、現像ローラ１３および供給ローラ１４の上方の空間において、各色に対応するトナーを収容している。
【００４０】
現像ローラ１３は、現像カートリッジ１０の下端部において、後方へ露出するように回転可能に支持されている。また、現像ローラ１３は、感光ドラム１１の前上端部に接触している。
【００４１】
供給ローラ１４は、現像ローラ１３の前上方に配置されている。供給ローラ１４は、現像ローラ１３の前上端部に接触している。
【００４２】
スキャナユニット４は、本体ケーシング２の上端部に配置されている。スキャナユニット４は、図１に矢印で示すように、感光ドラム１１に向かって、画像データに基づいてレーザービームを出射し、感光ドラム１１を露光する。
【００４３】
転写ユニット５は、プロセスユニット３の下方に配置されている。転写ユニット５は、駆動ローラ１５、従動ローラ１６と、搬送ベルト１７と、複数の転写ローラ１８とを備えている。
【００４４】
駆動ローラ１５は、転写ユニット５の後端部に配置されている。
【００４５】
従動ローラ１６は、駆動ローラ１５の前方に間隔を隔てて対向配置されるように、転写ユニット５の前端部に配置されている。
【００４６】
搬送ベルト１７は、その上側部分がすべての感光ドラム１１と接触するように、駆動ローラ１５および従動ローラ１６の周りに巻回されている。搬送ベルト１７は、駆動ローラ１５の駆動、および、従動ローラ１６の従動により、その上側部分が前方から後方へ向かって移動するように、周回移動される。
【００４７】
複数の転写ローラ１８のそれぞれは、複数の感光ドラム１１のそれぞれに対応し、対応する感光ドラム１１の下方において、搬送ベルト１７の上側部分を挟んで配置されている。
【００４８】
定着ユニット６は、転写ユニット５の後方に配置され、加熱ローラ１９、および、加熱ローラ１９に接触する加圧ローラ２０を備えている。
【００４９】
そして、プリンタ１が画像形成動作を開始すると、スコロトロン型帯電器１２は、感光ドラム１１の表面を一様に帯電する。その後、スキャナユニット４は、感光ドラム１１の表面を露光する。これにより、画像データに基づく静電潜像が、感光ドラム１１の表面に形成される。
【００５０】
また、供給ローラ１４は、現像カートリッジ１０内のトナーを現像ローラ１３に供給する。このとき、トナーは、現像ローラ１３と供給ローラ１４との間で正極性に摩擦帯電され、現像ローラ１３上に担持される。
【００５１】
そして、現像ローラ１３は、担持されたトナーを、感光ドラム１１の表面上の静電潜像に供給する。これにより、トナー像が、感光ドラム１１の表面上に担持される。
【００５２】
用紙Ｐは、各種ローラの回転により、給紙トレイ７から前上方へ搬送された後、後上方へＵターンされて、所定のタイミングで１枚ずつ、イエローの感光ドラム１１Ｙと搬送ベルト１７との間に給紙される。その後、用紙Ｐは、搬送ベルト１７によって前方から後方へ向かって搬送される。感光ドラム１１上のトナー像は、用紙Ｐが感光ドラム１１と転写ローラ１８との間を通過するときに、用紙Ｐに転写される。
【００５３】
その後、用紙Ｐは、加熱ローラ１９と加圧ローラ２０との間を通過するときに加熱および加圧される。このとき、用紙Ｐ上のトナー像は、用紙Ｐに熱定着される。その後、用紙Ｐは、排紙トレイ８に排紙される。
２．ドラムユニットの詳細
ドラムユニット９は、図２および図３に示すように、上記した複数の感光ドラム１１および複数のスコロトロン型帯電器１２の他に、フレーム３１と、複数の軸受３０とを備えている。
（１）フレーム
フレーム３１は、１対の側板の一例としての内側板３２と、１対の外側板３３と、前板３４と、後板３５とを備えている。
【００５４】
１対の内側板３２のそれぞれは、互いに左右方向に間隔を隔てて、フレーム３１の左右方向両端部のそれぞれに配置されている。１対の内側板３２のそれぞれは、前後方向に長い側面視略矩形の平板形状を有している。１対の内側板３２のそれぞれは、同一のプレス型を用いて金属板をプレス加工することによって得られ、互いに同一の形状を有している。１対の内側板３２のそれぞれは、複数の貫通穴３６と、複数の係合部３７とを有している。
【００５５】
複数の貫通穴３６のそれぞれは、前後方向に互いに等間隔を隔てて配置されている。複数の貫通穴３６のそれぞれは、複数の感光ドラム１１のそれぞれに対応して、具体的には、４つ配置されている。イエローの感光ドラム１１Ｙに対応する貫通穴３６は、第１支持穴の一例である。マゼンタの感光ドラム１１Ｍ、シアンの感光ドラム１１Ｃ、および、ブラックの感光ドラム１１Ｋのそれぞれに対応する貫通穴３６は、第２支持穴の一例である。複数の貫通穴３６のそれぞれは、側面視略円形状を有している。複数の貫通穴３６のそれぞれの内面は、図７に示すように、複数の平面３８と、複数の曲面３９とを有している。
【００５６】
複数の平面３８のそれぞれは、貫通穴３６の前端部、後端部、上端部、下端部のそれぞれに１つずつ配置されている。前方の平面３８Ｆ、および、後方の平面３８Ｒのそれぞれは、上下方向に延びている。後方の平面３８Ｒは、第１位置決め面の一例である。上方の平面３８Ｕ、および、下方の平面３８Ｌのそれぞれは、前後方向に延びている。下方の平面３８Ｌは、第２位置決め面の一例である。イエローの感光ドラム１１Ｙに対応する貫通穴３６の後方の平面３８Ｒおよび下方の平面３８Ｌは、第１位置決め部を構成する。マゼンタの感光ドラム１１Ｍ、シアンの感光ドラム１１Ｃ、および、ブラックの感光ドラム１１Ｋのそれぞれに対応する貫通穴３６の後方の平面３８Ｒおよび下方の平面３８Ｌは、第２位置決め部を構成する。
【００５７】
複数の曲面３９のそれぞれは、貫通穴３６の前上端部、前下端部、後上端部、後下端部のそれぞれに１つずつ配置されている。前上方の曲面３９は、前上方へ凹む略円弧形状を有し、上方の平面３８Ｕと前方の平面３８Ｆとを連結している。前下方の曲面３９は、前下方へ凹む略円弧形状を有し、下方の平面３８Ｌと前方の平面３８Ｆとを連結している。後上方の曲面３９は、後上方へ凹む略円弧形状を有し、上方の平面３８Ｕと後方の平面３８Ｒとを連結している。後下方の曲面３９は、後下方へ凹む略円弧形状を有し、下方の平面３８Ｌと後方の平面３８Ｒとを連結している。
【００５８】
複数の係合部３７は、複数の上係合部３７Ａと、複数の下係合部３７Ｂとを有している。
【００５９】
複数の上係合部３７Ａのそれぞれは、複数の貫通穴３６のそれぞれの上方に配置されている。複数の上係合部３７Ａのそれぞれは、内側板３２の上端縁から下方へ向かって切り欠かれる凹部である。複数の上係合部３７Ａのそれぞれは、側面視略矩形状を有している。
【００６０】
複数の下係合部３７Ｂのそれぞれは、複数の貫通穴３６のそれぞれの下方に配置されている。複数の下係合部３７Ｂのそれぞれは、内側板３２の下端縁から上方へ向かって切り欠かれる凹部である。複数の下係合部３７Ｂのそれぞれは、側面視略矩形状を有している。
【００６１】
１対の外側板３３のぞれぞれは、図２に示すように、１対の内側板３２のそれぞれの左右方向外方に配置されている。１対の外側板３３のそれぞれは、樹脂からなり、１対の内側板３２のそれぞれよりも上下方向に幅広な側面視略矩形の平板形状を有している。
【００６２】
前板３４は、フレーム３１の前端部に配置されている。前板３４は、左右方向に長い正面視略矩形の平板形状を有している。前板３４は、１対の内側板３２の前端部間に架設されている。
【００６３】
後板３５は、フレーム３１の後端部に配置されている。後板３５は、左右方向に長い正面視略矩形の平板形状を有している。後板３５は、１対の内側板３２の後端部間に架設されている。
（２）感光ドラム
複数の感光ドラム１１のそれぞれは、図３、図８Ａおよび図９Ａに示すように、ドラム本体４１と、１対のフランジ部材４２とを備えている。
【００６４】
ドラム本体４１は、左右に延びる略円筒形状を有している。
【００６５】
１対のフランジ部材４２のそれぞれは、ドラム本体４１の左右両端部のそれぞれに相対回転不能に嵌まっている。１対のフランジ部材４２のそれぞれは、大径部４３と、小径部４４とを備えている。また、左方のフランジ部材４２は、ドラムカップリング４５を有している。
【００６６】
大径部４３は、フランジ部材４２の左右方向内端部に配置されている。大径部４３は、左右方向外端部が閉鎖された略円筒形状を有している。大径部４３の外径は、ドラム本体４１の内径とほぼ同じである。大径部４３は、ドラム本体４１内に挿入されている。
【００６７】
小径部４４は、大径部４３の左右方向外壁から左右方向外方へ突出されている。小径部４４は、大径部４３と中心軸線を共有する略円筒形状を有している。小径部４４の外径は、大径部４３の外径よりも小さい。
【００６８】
ドラムカップリング４５は、左方のフランジ部材４２の小径部４４の左端部に配置されている。ドラムカップリング４５は、略円板形状を有し、左方のフランジ部材４２の小径部４４の左端部を閉鎖している。ドラムカップリング４５は、複数の係合凹部４６を有している。
【００６９】
複数の係合凹部４６のそれぞれは、ドラムカップリング４５の周縁部において、周方向に互いにの間隔を隔てて、具体的には、４つ配置されている。複数の係合凹部４６のそれぞれは、ドラムカップリング４５の左面から右方へ凹んでいる。複数の係合凹部４６のそれぞれは、側面視略矩形状を有している。複数の係合凹部４６のそれぞれは、本体ケーシング２内の本体カップリング７１の係合突部７２を受け入れる（図８Ａおよび図９Ａ参照。）。
（３）軸受
複数の軸受３０は、複数の左軸受３０Ｌと、複数の右軸受３０Ｒとを有している。
（３−１）左軸受
複数の左軸受３０Ｌのそれぞれは、図３に示すように、左方の内側板３２の左方において、複数の感光ドラム１１のそれぞれに対応して、具体的には、４つ配置されている。イエローの感光ドラム１１Ｙに対応する左軸受３０Ｌは、第１軸受部材の一例である。マゼンタの感光ドラム１１Ｍに対応する左軸受３０Ｌ、シアンの感光ドラム１１Ｃに対応する左軸受３０Ｌ、および、ブラックの感光ドラム１１Ｋに対応する左軸受３０Ｌは、第２軸受部材の一例である。複数の左軸受３０Ｌのそれぞれは、図４Ａおよび図４Ｂに示すように、筒部６１と、鍔部６２とを備えている。
【００７０】
筒部６１は、左右に延びる略円筒形状を有している。筒部６１は、左右両端部が開放されている。イエローの感光ドラム１１Ｙに対応する左軸受３０Ｌの筒部６１は、第１取付部の一例である。マゼンタの感光ドラム１１Ｍに対応する左軸受３０Ｌ、シアンの感光ドラム１１Ｃに対応する左軸受３０Ｌ、および、ブラックの感光ドラム１１Ｋに対応する左軸受３０Ｌの筒部６１は、第２取付部の一例である。筒部６１の内径は、フランジ部材４２の小径部４４の外径とほぼ同じである。筒部６１の外径は、内側板３２の貫通穴３６の内径とほぼ同じである。筒部６１は、凹部６５と、弾性部６３と、突出部６６とを有している。
【００７１】
凹部６５は、筒部６１の前上端部に配置されている。凹部６５は、筒部６１の右端縁から左方に向かって凹んでいる。凹部６５は、右端部が開放された略Ｕ字形状を有している。
【００７２】
弾性部６３は、凹部６５内に配置されている。弾性部６３は、凹部６５の底面、すなわち、左内面から右方へ向かって、対応する感光ドラム１１の外周面に沿うように延びる略平板形状を有している。筒部６１の周方向における弾性部６３の両端縁のそれぞれは、筒部６１の周方向における凹部６５の内面に対して間隔を隔てて向かい合っている。イエローの感光ドラム１１Ｙに対応する左軸受３０Ｌの弾性部６３は、第１弾性部の一例である。マゼンタの感光ドラム１１Ｍに対応する左軸受３０Ｌの弾性部６３、シアンの感光ドラム１１Ｃに対応する左軸受３０Ｌの弾性部６３、および、ブラックの感光ドラム１１Ｋに対応する左軸受３０Ｌの弾性部６３は、第２弾性部の一例である。
【００７３】
突出部６６は、弾性部６３の右端部に配置されている。突出部６６は、弾性部６３の内周面、すなわち、後下面から、筒部６１の径方向内方、すなわち、後下方へ突出し、筒部６１の周方向に延びている。イエローの感光ドラム１１Ｙに対応する左軸受３０Ｌの突出部６６は、第１当接部の一例であり、イエローの感光ドラム１１Ｙに対応する左軸受３０Ｌの弾性部６３とともに第１付勢部材を構成する。マゼンタの感光ドラム１１Ｍに対応する左軸受３０Ｌの突出部６６、シアンの感光ドラム１１Ｃに対応する左軸受３０Ｌの突出部６６、および、ブラックの感光ドラム１１Ｋに対応する左軸受３０Ｌの突出部６６のそれぞれは、第２当接部の一例であり、マゼンタの感光ドラム１１Ｍに対応する左軸受３０Ｌの弾性部６３、シアンの感光ドラム１１Ｃに対応する左軸受３０Ｌの弾性部６３、および、ブラックの感光ドラム１１Ｋに対応する左軸受３０Ｌの弾性部６３のそれぞれとともに第２付勢部材を構成する。
【００７４】
ここで、図６Ａ、図６Ｂ、図８Ｂおよび図９Ｂに示すように、イエローの感光ドラム１１Ｙに対応する左軸受３０Ｌの突出部６６の第１突出量としての突出長さ、すなわち、前上方と後下方とを結ぶ方向の長さＬ２は、マゼンタの感光ドラム１１Ｍ、シアンの感光ドラム１１Ｃおよびブラックの感光ドラム１１Ｋのそれぞれに対応する左軸受３０Ｌの突出部６６の第２突出量としての突出長さ、すなわち、前上方と後下方とを結ぶ方向の長さＬ１よりも長い。
【００７５】
鍔部６２は、図４Ａおよび図４Ｂに示すように、筒部６１の左右方向中央の外周面から径方向外方に突出し、筒部６１の周方向に延びている。鍔部６２は、略円環形状を有している。鍔部６２は、１対の係合部６４を有している。
【００７６】
１対の係合部６４のそれぞれは、鍔部６２の上端部と下端部とに１つずつ配置されている。上方の係合部６４は、鍔部６２の上端縁から上方に突出し、右方へ屈曲されている。下方の係合部６４は、鍔部６２の下端縁から下方に突出し、右方へ屈曲されている。
（３−２）右軸受
複数の右軸受３０Ｒのそれぞれは、図３に示すように、右方の内側板３２の左方において、複数の感光ドラム１１のそれぞれに対応して、具体的には、４つ配置されている。イエローの感光ドラム１１Ｙに対応する右軸受３０Ｒは、第１軸受部材の一例である。マゼンタの感光ドラム１１Ｍに対応する右軸受３０Ｒ、シアンの感光ドラム１１Ｃに対応する右軸受３０Ｒ、および、ブラックの感光ドラム１１Ｋに対応する右軸受３０Ｒは、第２軸受部材の一例である。複数の右軸受３０Ｒのそれぞれは、図５Ａおよび図５Ｂに示すように、筒部５１と、鍔部５２とを備えている。
【００７７】
筒部５１は、左右に延びる略円筒形状を有している。筒部５１は、左端部が開放され、右端部が閉鎖されている。イエローの感光ドラム１１Ｙに対応する右軸受３０Ｒの筒部５１は、第１取付部の一例である。マゼンタの感光ドラム１１Ｍに対応する右軸受３０Ｒ、シアンの感光ドラム１１Ｃに対応する右軸受３０Ｒ、および、ブラックの感光ドラム１１Ｋに対応する右軸受３０Ｒの筒部５１は、第２取付部の一例である。筒部５１の内径は、フランジ部材４２の小径部４４の外径とほぼ同じである。筒部５１の外径は、内側板３２の貫通穴３６の内径とほぼ同じである。筒部５１は、凹部５５と、弾性部５３と、突出部５６とを有している。
【００７８】
凹部５５は、筒部５１の前上端部に配置されている。凹部５５は、筒部５１の左端縁から右方に向かって凹んでいる。凹部５５は、左端部が開放された略Ｕ字形状を有している。
【００７９】
弾性部５３は、凹部５５内に配置されている。弾性部５３は、凹部５５の底面、すなわち、右内面から左方へ向かって延びる略平板形状を有している。筒部５１の周方向における弾性部５３の両端縁のそれぞれは、筒部５１の周方向における凹部５５の内面に対して間隔を隔てて向かい合っている。右軸受３０Ｒの弾性部５３は、左軸受３０Ｌの弾性部６３と同じ形状を有している。すなわち、右軸受３０Ｒの弾性部５３の幅、すなわち周方向寸法は、左軸受３０Ｌの弾性部６３の幅と同じである。また、右軸受３０Ｒの弾性部５３の厚み、すなわち径方向寸法は、左軸受３０Ｌの弾性部６３の厚みと同じである。また、右軸受３０Ｒの弾性部５３の左右方向寸法は、左軸受３０Ｌの弾性部６３の左右方向寸法と同じである。イエローの感光ドラム１１Ｙに対応する右軸受３０Ｒの弾性部５３は、第１付勢部材および第１弾性部の一例である。マゼンタの感光ドラム１１Ｍに対応する右軸受３０Ｒの弾性部５３、シアンの感光ドラム１１Ｃに対応する右軸受３０Ｒの弾性部５３、および、ブラックの感光ドラム１１Ｋに対応する右軸受３０Ｒの弾性部５３は、第２付勢部材および第２弾性部の一例である。
【００８０】
突出部５６は、弾性部５３の左端部に配置されている。突出部５６は、弾性部５３の内周面、すなわち、後下面から、筒部５１の径方向内方、すなわち、後下方へ突出し、筒部５１の周方向に延びている。イエローの感光ドラム１１Ｙに対応する右軸受３０Ｒの突出部５６は、第１接触部の一例であり、イエローの感光ドラム１１Ｙに対応する右軸受３０Ｒの弾性部５３とともに第１付勢部材を構成する。マゼンタの感光ドラム１１Ｍに対応する右軸受３０Ｒの突出部５６、シアンの感光ドラム１１Ｃに対応する右軸受３０Ｒの突出部５６、および、ブラックの感光ドラム１１Ｋに対応する右軸受３０Ｒの突出部５６のそれぞれは、第２接触部の一例であり、マゼンタの感光ドラム１１Ｍに対応する右軸受３０Ｒの弾性部５３、シアンの感光ドラム１１Ｃに対応する右軸受３０Ｒの弾性部５３、および、ブラックの感光ドラム１１Ｋに対応する右軸受３０Ｒの弾性部５３のそれぞれとともに第２付勢部材を構成する。
【００８１】
ここで、右軸受３０Ｒの突出部５６の突出長さは、左軸受３０Ｌの突出部６６の突出長さと同じである。すなわち、イエローの感光ドラム１１Ｙに対応する右軸受３０Ｒの突出部５６の第１突出量としての突出長さは、マゼンタの感光ドラム１１Ｍ、シアンの感光ドラム１１Ｃおよびブラックの感光ドラム１１Ｋのそれぞれに対応する右軸受３０Ｒの突出部５６の第２突出量としての突出長さよりも長い。
【００８２】
鍔部５２は、筒部５１の左右方向中央の外周面から径方向外方に突出し、筒部５１の周方向に延びている。鍔部５２は、略円環形状を有している。鍔部５２は、１対の係合部５４を有している。
【００８３】
１対の係合部５４のそれぞれは、鍔部５２の上端部と下端部とに１つずつ配置されている。上方の係合部５４は、鍔部５２の上端縁から上方に突出し、右方へ屈曲されている。上方の係合部５４の右端部は、下方へ突出する鉤形状を有している。下方の係合部５４は、鍔部５２の下端縁から下方に突出し、右方へ屈曲されている。下方の係合部５４の右端部は、上方へ突出する鉤形状を有している。
３．感光ドラムの組み付け状態
図３および図７に示すように、左軸受３０Ｌの筒部６１の左端部は、左方の内側板３２の貫通穴３６内に嵌まっている。左軸受３０Ｌの上方の係合部６４は、左方の内側板３２の上方の係合部３７に係合している。左軸受３０Ｌの下方の係合部６４は、左方の内側板３２の下方の係合部３７に係合している。これにより、左軸受３０Ｌは、左方の内側板３２に相対回転不能に支持されている。
【００８４】
また、左軸受３０Ｌの筒部６１の前端部は、貫通穴３６の前方の平面３８Ｆに当接している。左軸受３０Ｌの筒部６１の後端部は、貫通穴３６の後方の平面３８Ｒに当接している。左軸受３０Ｌの筒部６１の上端部は、貫通穴３６の上方の平面３８Ｕに当接している。左軸受３０Ｌの筒部６１の下端部は、貫通穴３６の下方の平面３８Ｌに当接している。また、左軸受３０Ｌの筒部６１の外周面は、曲面３９に対して間隔を隔てている。
【００８５】
そして、感光ドラム１１の左方のフランジ部材４２の小径部４４は、左軸受３０Ｌの筒部６１内に相対回転可能に嵌まっている。これにより、感光ドラム１１の左端部は、左軸受３０Ｌを介して、左方の内側板３２に相対回転可能に支持されている。
【００８６】
ここで、感光ドラム１１の左方のフランジ部材４２の小径部４４は、左軸受３０Ｌの筒部６１の後下方の内周面６１Ａに接触している。
【００８７】
また、左軸受３０Ｌの突出部６６は、図７、図８Ｂおよび図９Ｂに示すように、感光ドラム１１の左方のフランジ部材４２の小径部４４の外周面に当接している。左軸受３０Ｌの弾性部６３は、突出部６６の突出長さの分、右端部が前上方へ移動するように撓んでいる。つまり、左軸受３０Ｌの弾性部６３は、その弾性力により、感光ドラム１１の左方のフランジ部材４２の小径部４４を、左軸受３０Ｌの筒部６１の後下方の内周面６１Ａに対して付勢している。これにより、感光ドラム１１は、左軸受３０Ｌを介して左方の内側板３２の後方の平面３８Ｒと下方の平面３８Ｌとの間に向かって押圧され、その径方向において、左方の内側板３２の後方の平面３８Ｒと下方の平面３８Ｌとに対して位置決めされる。
【００８８】
より具体的には、イエローの感光ドラム１１Ｙに対応する左軸受３０Ｌの弾性部６３は、マゼンタの感光ドラム１１Ｍ、シアンの感光ドラム１１Ｃおよびブラックの感光ドラム１１Ｋのそれぞれに対応する左軸受３０Ｌの弾性部６３よりも大きく撓んでいる。
【００８９】
これにより、イエローの感光ドラム１１Ｙに対応する左軸受３０Ｌの弾性部６３は、マゼンタの感光ドラム１１Ｍ、シアンの感光ドラム１１Ｃおよびブラックの感光ドラム１１Ｋのそれぞれに対応する左軸受３０Ｌの弾性部６３よりも大きな付勢力で、イエローの感光ドラム１１Ｙを、対応する左軸受３０Ｌの筒部６１の後下方の内周面６１Ａに対して付勢している。
【００９０】
また、図３に示すように、右軸受３０Ｒの筒部５１の右端部は、右方の内側板３２の貫通穴３６内に嵌まっている。右軸受３０Ｒの上方の係合部５４は、右方の内側板３２の上方の係合部３７に係合している。右軸受３０Ｒの下方の係合部５４は、右方の内側板３２の下方の係合部３７に係合している。これにより、右軸受３０Ｒは、右方の内側板３２に相対回転不能に支持されている。
【００９１】
そして、感光ドラム１１の右方のフランジ部材４２の小径部４４は、右軸受３０Ｒの筒部５１内に相対回転可能に嵌まっている。これにより、感光ドラム１１の右端部は、右軸受３０Ｒを介して、右方の内側板３２に相対回転可能に支持されている。
【００９２】
なお、図示しないが、感光ドラム１１の右方のフランジ部材４２の小径部４４は、左方のフランジ部材４２の小径部４４と同様に、右軸受３０Ｒの筒部５１の後下方の内周面に接触している。
【００９３】
また、右軸受３０Ｒの突出部５６は、左軸受３０Ｌの突出部６６と同様に、感光ドラム１１の右方のフランジ部材４２の小径部４４の外周面に当接している。右軸受３０Ｒの弾性部５３は、突出部５６の突出長さの分、左端部が前上方へ移動するように撓んでいる。つまり、右軸受３０Ｒの弾性部５３は、その弾性力により、感光ドラム１１の右方のフランジ部材４２の小径部４４を、右軸受３０Ｒの筒部５１の後下方の内周面に対して付勢している。これにより、感光ドラム１１は、右軸受３０Ｒを介して右方の内側板３２の後方の平面３８Ｒと下方の平面３８Ｌとの間に向かって押圧され、その径方向において、右方の内側板３２の後方の平面３８Ｒと下方の平面３８Ｌとに対して位置決めされる。
【００９４】
より具体的には、イエローの感光ドラム１１Ｙに対応する右軸受３０Ｒの弾性部５３は、マゼンタの感光ドラム１１Ｍ、シアンの感光ドラム１１Ｃおよびブラックの感光ドラム１１Ｋのそれぞれに対応する右軸受３０Ｒの弾性部５３よりも大きく撓んでいる。
【００９５】
これにより、イエローの感光ドラム１１Ｙに対応する右軸受３０Ｒの弾性部５３は、マゼンタの感光ドラム１１Ｍ、シアンの感光ドラム１１Ｃおよびブラックの感光ドラム１１Ｋのそれぞれに対応する右軸受３０Ｒの弾性部５３よりも大きな付勢力で、イエローの感光ドラム１１Ｙを、対応する右軸受３０Ｒの筒部５１の後下方の内周面に対して付勢している。
４．画像形成時における用紙の搬送
プロセスユニットが本体ケーシング２内に装着された状態では、図８Ａおよび図９Ａに示すように、本体ケーシング２内の本体カップリング７１の係合突部７２が、感光ドラム１１のドラムカップリング４５の係合凹部４６に係合する。これにより、本体カップリング７１とドラムカップリング４５とは互いに相対回転不能に連結される。
【００９６】
このとき、本体カップリング７１がドラムカップリング４５を右方へ押圧し、感光ドラム１１は、右軸受３０Ｒを介して右方の内側板３２に押し付けられる。これにより、感光ドラム１１は、左右方向において、右軸受３０Ｒを介して右方の内側板３２に位置決めされる。
【００９７】
そして、上記した画像形成動作が実施されると、図１に示すように、用紙Ｐがイエローの感光ドラム１１Ｙと搬送ベルト１７との間に供給される。
【００９８】
このとき、用紙Ｐの先端がイエローの感光ドラム１１Ｙにするときに、イエローの感光ドラム１１Ｙに前上方への衝撃が加わる場合がある。
【００９９】
ここで、イエローの感光ドラム１１Ｙは、対応する左軸受Ｌおよび右軸受Ｒによって後下方へより強く付勢されているので、用紙Ｐとの衝突によって衝撃が加わったときに、がたつきが抑制される。
【０１００】
その後、用紙Ｐは、マゼンタの感光ドラム１１Ｍと搬送ベルト１７との間に供給される。
【０１０１】
このとき、用紙Ｐの先端は、イエローの感光ドラム１１Ｋと搬送ベルト１７との間を通過するときに、搬送ベルト１７の上面に密着され、その状態で、マゼンタの感光ドラム１１Ｍと搬送ベルト１７との間に供給される。
【０１０２】
そのため、用紙Ｐがマゼンタの感光ドラム１１Ｍと搬送ベルト１７との間に供給されるときには、用紙Ｐの先端がマゼンタの感光ドラム１１Ｍと搬送ベルト１７との間に円滑に供給され、用紙Ｐの先端とマゼンタの感光ドラム１１Ｍとが接触するときの衝撃が、用紙Ｐの先端がイエローの感光ドラム１１Ｙと搬送ベルト１７との間に供給されるときと比べて、低減される。
【０１０３】
これにより、マゼンタの感光ドラム１１Ｍのがたつきも抑制できる。
【０１０４】
同様に、シアンの感光ドラム１１Ｃおよびブラックの感光ドラム１１Ｋのがたつきも抑制できる。
【０１０５】
このように、上記した画像形成動作において、複数の感光ドラムのがたつきを抑制できる。
５．作用効果
（１）このプリンタ１によれば、図８Ｂおよび図９Ｂに示すように、用紙Ｐの搬送方向最上流、すなわち最前方に配置されるイエローの感光ドラム１１Ｙを、それよりも下流に配置されるマゼンタの感光ドラム１１Ｍ、シアンの感光ドラム１１Ｃおよびブラックの感光ドラム１１Ｋよりも大きな付勢力で、内側板３２に対して位置決めすることができる。
【０１０６】
これにより、イエローの感光ドラム１１Ｙのがたつきを抑制できる。
【０１０７】
また、イエローの感光ドラム１１Ｙのがたつきを抑制することにより、イエローの感光ドラム１１Ｙよりも下流に配置されるマゼンタの感光ドラム１１Ｍ、シアンの感光ドラム１１Ｃおよびブラックの感光ドラム１１Ｋに対して円滑に用紙Ｐを搬送できるので、マゼンタの感光ドラム１１Ｍ、シアンの感光ドラム１１Ｃおよびブラックの感光ドラム１１Ｋのがたつきも抑制できる。
【０１０８】
その結果、複数の感光ドラム１１のがたつきを抑制できる。
（２）また、このプリンタ１によれば、図８Ｂおよび図９Ｂに示すように、イエローの感光ドラム１１Ｙを支持する左軸受３０Ｌおよび右軸受３０Ｒの突出部５６、６６の突出長さＬ２は、それよりも下流に配置されるマゼンタの感光ドラム１１Ｍ、シアンの感光ドラム１１Ｃおよびブラックの感光ドラム１１Ｋを支持する左軸受３０Ｌおよび右軸受３０Ｒの突出部５６、６６の突出長さＬ１よりも長い。
【０１０９】
そのため、イエローの感光ドラム１１Ｙを支持する左軸受３０Ｌおよび右軸受３０Ｒの弾性部５３、６３を、マゼンタの感光ドラム１１Ｍ、シアンの感光ドラム１１Ｃおよびブラックの感光ドラム１１Ｋを支持する左軸受３０Ｌおよび右軸受３０Ｒの弾性部５３、６３よりも大きく撓ませることができる。
【０１１０】
その結果、イエローの感光ドラム１１Ｙを、マゼンタの感光ドラム１１Ｍ、シアンの感光ドラム１１Ｃおよびブラックの感光ドラム１１Ｋよりも確実に大きな付勢力で、内側板３２に対して位置決めすることができる。
（３）また、このプリンタ１によれば、図７に示すように、複数の感光ドラム１１のそれぞれの端部を対応する軸受３０の突出部５６、６６により、内側板３２の貫通穴３６の後方の平面３８Ｒおよび下方の平面３８Ｌに対して押圧できる。
【０１１１】
これにより、複数の感光ドラム１１のそれぞれの端部を、後方の平面３８Ｒおよび下方の平面３８Ｌによって、前後方向および上下方向において位置決めすることができる。
【０１１２】
その結果、複数の感光ドラム１１のそれぞれを、内側板３２に対して精度よく位置決めすることができる。
（４）また、このプリンタ１によれば、図７に示すように、軸受３０の突出部５６、６６は、用紙Ｐの搬送方向の下流に向かうにつれて搬送ベルト１７に近接する方向、すなわち後下方に突出している。
【０１１３】
そのため、複数の感光ドラム１１のそれぞれと搬送ベルト１７との間を通過する用紙Ｐを、円滑に搬送ベルト１７に対して押しつけることができる。
（５）また、このプリンタ１によれば、図１に示すように、複数の感光ドラム１１を支持するドラムユニット９を備えている。
【０１１４】
そのため、ドラムユニット９により、複数の感光ドラム１１を一体的に操作することができる。
６．変形例
図１０を参照しながら、プリンタの変形例を説明する。なお、変形例のプリンタにおいて、上記した実施形態と同様の部材には同様の符号を付し、その説明を省略する。
【０１１５】
上記した実施形態では、プリンタ１は、複数の感光ドラム１１を備えるドラムユニット９と、複数の感光ドラム１１のそれぞれに対応する複数の現像カートリッジ１０とを備えている。
【０１１６】
対して、この変形例では、プリンタは、感光ドラム１１を有するプロセスカートリッジ８１を、複数、具体的には各色に対応して４つ、備えている。なお、イエローの感光ドラム１１Ｙを備えるプロセスカートリッジ８１は、第１プロセスカートリッジの一例である。マゼンタの感光ドラム１１Ｙを備えるプロセスカートリッジ８１、シアンの感光ドラム１１Ｃを備えるプロセスカートリッジ８１、および、ブラックの感光ドラム１１Ｋを備えるプロセスカートリッジ８１は、第２プロセスカートリッジの一例である。なお、図１０においては、便宜的に、複数のプロセスカートリッジ８１のうちの１つを示している。プロセスカートリッジ８１は、図示しないが、現像ローラ１３、供給ローラ１４を備え、トナーを収容している。
【０１１７】
そして、上記した実施形態では、感光ドラム１１は、左軸受３０Ｌの弾性部５３および右軸受３０Ｒの弾性部６３により、搬送ベルト１７に向かって後下方へ押圧されている。
【０１１８】
対して、この変形例では、図１０に示すように、本体ケーシング２内の付勢部材８２により、プロセスカートリッジ８１が搬送ベルト１７に向かって下方へ押圧される。これにより、感光ドラム１１は、搬送ベルト１７に向かって下方へ押圧され、本体ケーシング２内の位置決め部８３に対して位置決めされる。すなわち、付勢部材８２の付勢力は、感光ドラム１１に作用している。
【０１１９】
なお、イエローのプロセスカートリッジ８１に対応する付勢部材８２は、第１付勢部材の一例である。マゼンタのプロセスカートリッジ８１、シアンのプロセスカートリッジ８１、および、ブラックのプロセスカートリッジ８１に対応する付勢部材８２は、第２付勢部材の一例である。イエローのプロセスカートリッジ８１に対応する位置決め部８３は、第１位置決め部の一例である。マゼンタのプロセスカートリッジ８１、シアンのプロセスカートリッジ８１、および、ブラックのプロセスカートリッジ８１に対応する位置決め部８３は、第２位置決め部の一例である。
【０１２０】
そして、この変形例では、イエローのプロセスカートリッジ８１を付勢する付勢部材８２の付勢力は、マゼンタ、シアンおよびブラックのプロセスカートリッジ８１を付勢する付勢部材８２の付勢力よりも大きく設定されている。
【０１２１】
変形例によれば、用紙Ｐの搬送方向最上流、すなわち最前方に配置されるイエローのプロセスカートリッジ８１を、それよりも下流に配置されるマゼンタ、シアンおよびブラックのプロセスカートリッジ８１よりも大きな付勢力で、本体ケーシング２に対して位置決めすることができる。
【０１２２】
これにより、イエローの感光ドラム１１Ｙのがたつきを抑制できる。
【０１２３】
また、イエローの感光ドラム１１Ｙのがたつきを抑制することにより、イエローの感光ドラム１１Ｙよりも下流に配置されるマゼンタの感光ドラム１１Ｍ、シアンの感光ドラム１１Ｃおよびブラックの感光ドラム１１Ｋに対して円滑に用紙Ｐを搬送できるので、マゼンタの感光ドラム１１Ｍ、シアンの感光ドラム１１Ｃおよびブラックの感光ドラム１１Ｋのがたつきも抑制できる。
【０１２４】
その結果、複数の感光ドラム１１のがたつきを抑制できる。
【符号の説明】
【０１２５】
１      プリンタ
１１Ｙ  イエローの感光ドラム
１１Ｍ  マゼンタの感光ドラム
１１Ｃ  シアンの感光ドラム
１１Ｋ  ブラックの感光ドラム
３０Ｌ  左軸受
３０Ｒ  右軸受
５１    筒部
５３    押圧部
５６    突出部
６１    筒部
６３    押圧部
６６    突出部
８１    プロセスカートリッジ
８２    付勢部材
８３    位置決め部
Ｌ１    突出長さ
Ｌ２    突出長さ
Ｐ      用紙
【図１】
2015060102.tif 000003
【図２】
2015060102.tif 000004
【図３】
2015060102.tif 000005
【図４】
2015060102.tif 000006
【図５】
2015060102.tif 000007
【図６】
2015060102.tif 000008
【図７】
2015060102.tif 000009
【図８】
2015060102.tif 000010
【図９】
2015060102.tif 000011
【図１０】
2015060102.tif 000012